(57)【要約】【課題】埋立地の汚水又は浸出水処理装置から出る浸出水スラッジ又は浸出水の汚泥やスラッジ等の残渣を適正に安定化処理することにより、環境への影響負荷低減を向上させた、埋立地の浸出水スラッジ処理システム及び埋立地の浸出水スラッジ処理方法を提供する。【解決手段】本発明の浸出水スラッジ処理システムは、汚水又は浸出水スラッジ（汚泥やスラッジの残渣等）９をおおむね１２００℃以上の高温雰囲気下で溶融させて高温液状物１１として最終的にスラグのような物質に安定無害化処理する溶融手段２と可燃性ガスの完全燃焼させるガス燃焼手段３とガスを冷却するガス冷却手段４と主に集塵をする排ガス処理手段５と燃焼用酸素含有ガスや排ガスの誘引を行う通風手段６とを具えることを特徴とする。【選択図】図１
2006043678.tif 000002
【特許請求の範囲】
【請求項１】
埋立地又は最終処分場の汚水又は浸出水処理装置から出る浸出水スラッジ（汚泥やスラッジの残渣等）を高温溶融させて高温液状物として最終的に無害化する溶融手段と、
該溶融手段で発生した可燃性ガスを燃焼するガス燃焼手段と、
該ガス燃焼手段で発生した高温のガスを所定温度まで冷却するガス冷却手段と、
該ガス冷却手段で冷却された排ガス中に含まれるダストを取り除く排ガス処理手段と、
該排ガス処理手段によって清浄化されたガスを放散する通風手段と
を具えることを特徴とする浸出水スラッジ処理システム。
【請求項２】
前記排ガス処理手段は、排ガス中に含まれるダストを回収する第１集麈装置と、第１集麈装置で捕集できないダストを回収する第２集塵装置とを有する請求項１記載の浸出水スラッジ処理システム。
【請求項３】
前記溶融手段の燃料として利用する炭化物を生成する炭化手段を有する請求項１記載の浸出水スラッジ処理システム。
【請求項４】
埋立地又は最終処分場の汚水又は浸出水処理装置から出る浸出水スラッジ（汚泥やスラッジの残渣等）を高温溶融させて高温液状物として最終的に無害化する溶融工程と、
該溶融工程で発生した可燃性ガスを完全燃焼するガス燃焼工程と、
該ガス燃焼工程で発生した高温のガスを２００℃以下まで冷却するガス冷却工程と、
該ガス冷却工程で冷却された排ガス中に含まれるダストを取り除く排ガス処理工程と、
該排ガス処理工程によって清浄化されたガスを放散する通風工程と、
を具えることを特徴とする浸出水スラッジ処理方法。
【請求項５】
前記排ガス処理工程において、排ガス中に含まれるダストを回収する第１集塵工程と、第１集麈工程で捕集できないダストを回収する第２集塵工程の多段集塵工程とを有する請求項４記載の浸出水スラッジ処理方法。
【請求項６】
前記溶融工程の燃料として利用する炭化物を生成する炭化工程を有する請求項４記載の浸出水スラッジ処理方法。
【発明の詳細な説明】
【技術分野】
【０００１】  本発明は埋立地の汚水又は浸出水処理装置から出る浸出水スラッジ（汚泥やスラッジの残渣等）９の処理装置およびそれを用いたスラッジの処理方法に関するものであり、特に、廃棄物最終埋立処分場における浸出水スラッジ（汚泥やスラッジの残渣等）９を処理する装置および方法に関する。
【背景技術】
【０００２】  一般廃棄物や産業廃棄物等は、現在、焼却減容後や溶融処理後に最終処分場に埋め立てて処分することが一般的に行われている。この廃棄物最終埋立処分場は、自然の窪地や地盤を凹状に掘削した造成地内に廃棄物を埋め立てるものであるが、降雨による雨水等が処分場に流入して廃棄物に浸透し、汚水となって周辺土壌に漏出して環境汚染を引き起こすことを防止するため、遮水シートを処分場の底部地盤に敷設することが行なわれている。【０００３】  このような遮水シートの敷設により周辺土壌への汚水の漏出は防止されるものの、一方では降雨によって処分場内に流入する雨水等は廃棄物中に保持されることとなるため処分場には常に地下水位が存在し、このまま雨水等の流入を放置すればその水位が廃棄物表面にまで到達してしまい、ついには処分場の周囲に汚水があふれ出る事態が予想される。そこで、かかる処分場地下の汚水を排除するために集排水設備を設置し、処分場の近辺に別途建設した処理施設に誘導して汚水を処理することが行なわれている。【０００４】  しかしながら、このような処理施設を別途設けることは、土地の有効利用、処理の手間、施設の維持、管理等のいずれの点でも負担が大きい。しかも大雨等で汚水の量が過大となった場合でも施設の処理能力を超えることがないように処理容量の増大を図るとすれば、一層の負担増を招くことになる。【０００５】  また、浸出水の処理施設からは、必ず汚泥やスラッジ等の残渣が残ってしまう。そのため、その汚泥やスラッジ等に含まれる重金属やダイオキシン類の流出の問題があった。また、埋立している廃棄物の浸出水等からも重金属やダイオキシン類の流出の問題があった。【０００６】  さらに、散水や雨水により蓄積した浸出水は、太陽熱で自然乾燥されて水分だけが蒸発させるのは非常に難しく、雨季にはほとんどその成果が見られないのが現状である。【０００７】  特許文献１に記載された浸出水を散水に利用する方法は、有害物質等が濃縮し、さらに地下に浸透していく可能性がある点で問題がある。【０００８】  また、すべてが太陽光だけで蒸発することはありえないため、この方法はあまり好ましくない。
【特許文献１】  特開平２０００−３０１０９５号公報
【発明の開示】
【発明が解決しようとする課題】
【０００９】  本発明の目的は、浸出水スラッジ（汚泥やスラッジの残渣等）９を適正に安定化処理することにより、環境への影響負荷低減を向上させた、埋立地の浸出水スラッジ処理システム及び埋立地の浸出水スラッジ処理方法を提供することにある。
【課題を解決するための手段】
【００１０】  上記目的を達成するため、本発明の埋立地又は最終処分場の浸出水スラッジ処理システムは、汚水又は浸出水または浸出水を処理した際発生する汚泥やスラッジ等の残渣を高温溶融させて高温液状物１１として最終的に無害化する溶融手段２及び浸出水スラッジ（汚泥やスラッジの残渣等）９を炭化させる炭化手段１０とを具えることにある。【００１１】  溶融手段２から排出される高温液状物１１は、おおむね１２００℃以上でスラグ化することが好ましい。【００１２】  また、炭化の手段として、窒素ガス等の不活性ガスを炭化炉内において充填させて還元雰囲気下にして炭化させるか、水蒸気を過熱した過熱水蒸気を直接炭化対象物に当てて炭化させることもある。【００１３】  炭化手段１０にて生成された炭化物１２は、溶融手段２の燃料として利用することが、運転費又は燃料費の軽減の点から非常に好ましい。【００１４】  本発明の埋立地の浸出水スラッジ処理方法は、埋立地の汚水又は浸出水処理装置から出る浸出水スラッジや汚水又は浸出水を処理した際発生する汚泥やスラッジ等の残渣をおおむね１２００℃以上で高温溶融する工程及び、１００℃以上で炭化させる工程とを具えることにある。
【発明の効果】
【００１５】  本発明によれば、浸出水を処理した際発生する汚泥やスラッジ等の残渣を高温で溶融することにより安定化が図ることができ、廃棄物からの浸出水による重金属やダイオキシン類の流出防止に大きく貢献できる。【００１６】  さらに、生成した高温液状物１１も路盤材やコンクリート骨材、セメント混和材等の土木建築材料に利用できるので、残渣の発生がなくなりかつ容積も少なくとも４０分の１以上に減容化できるため、土地の有効利用もできる。
【発明を実施するための最良の形態】
【００１７】  以下、本発明の実施形態を図面を参照しながら説明する。
図１は、第１発明に従う埋立地の浸出水スラッジ処理システムを用いて汚水又は浸出水を処理した際発生する汚泥やスラッジ等の残渣を処理するときのフローチャートを示したものである。【００１８】  図１に示す浸出水スラッジ処理システム１は、主として、浸出水スラッジ（汚泥やスラッジの残渣等）９を処理する溶融手段２、ガス燃焼手段３、ガス冷却手段４、排ガス処理手段５及び通風手段６によって構成されている。【００１９】  溶融手段２は、浸出水スラッジ（汚泥やスラッジの残渣等）９を通風手段６によって酸素含有ガスを浸出水スラッジ（汚泥やスラッジの残渣等）９中の炭素又は炭素化合物並びに水素を含む物質及び使用燃料の炭素や水素と反応させ、おおむね１２００℃以上の高温雰囲気下で溶融させて高温液状物１１として最終的にスラグのような物質に安定無害化処理する。溶融手段２としては、例えば溶融炉が挙げられる。溶融方法としては、例えば、天然ガスや重油や軽油や灯油等を燃料としたバーナーで溶融する方法がある。また、例えば、電気を熱源として溶融する方法がある。さらに、例を挙げると化石燃料を利用して溶融する方法がある。【００２０】  ガス燃焼手段３は、溶融手段２内で発生した可燃性のガスを、酸素含有ガスにより完全燃焼する。ガス燃焼手段２としては、例えばガス燃焼炉が挙げられる。
ガス燃焼炉の代わりにボイラー等で燃焼させて温水熱回収や蒸気タービンと組み合わせて発電を行うことも好ましい。
また、ガスタービンやガスエンジンへ燃料として供給し発電や熱を回収する方法も熱回収の一つとして有効な手段である。【００２１】  ガス冷却手段４は、ガス燃焼手段３内で発生した高温のガスを、例えば２００〜２０００℃の所定温度から好適には２００℃以下、より好ましくは１５０〜２０００℃まで冷却する。ガス冷却手段４としては、例えばガス冷却塔が挙げられる。冷却終了温度が２００℃よりも高いと、ダイオキシン類の再合成が促進されるのと、次の工程である排ガス処理手段５の設備が劣化しやすくなる。【００２２】  排ガス処理手段５は、該ガス冷却手段４で冷却された排ガス中に含まれる飛灰等のダストを取り除く。【００２３】    以上の工程で無害化された排ガスを通風手段６により放散する。【００２４】  排ガス処理手段５は、排ガス中に含まれるダストを回収する第１集塵装置７と、第１集塵装置７を抜けたダストを回収する第２集塵装置８とを有した方が、ダスト除去効率を向上させる上で好ましい。【００２５】  次に、本発明に従う浸出水スラッジ処理方法の一例を以下で説明する。
まず、汚水又は浸出水スラッジ（汚泥やスラッジの残渣等）９を溶融手段２内に装入し、溶融手段２内で、汚水又は浸出水スラッジ（汚泥やスラッジの残渣等）９を高温溶融させて高温液状物１１として最終的にスラグのような物質に無害化する。【００２６】  次に、溶融手段２内で発生した可燃性のガスをガス燃焼手段３によって完全燃焼する。【００２７】  ガス燃焼手段３によって燃焼させたガスを、ガス冷却手段４によって１５０〜２００℃まで冷却する。【００２８】  その後、ガス冷却手段４で冷却された排ガス中に含まれるダストを、排ガス処理手段５で取り除くとともに、第１集塵機７と第２集塵機８を直列でつないで設置する場合は、ダスト除去効率を向上させる上で好ましい。【００２９】  上述したところは、この発明の実施形態の一例を示したにすぎず、請求の範囲において種々の変更を加えることができる。【００３０】  汚水又は浸出水スラッジ（汚泥やスラッジの残渣等）９の処理として上記記載の方法の他に、炭化手段１０を用いて汚水又は浸出水スラッジ（汚泥やスラッジの残渣等）９を処理する方法もある。【００３１】  汚水又は浸出水スラッジ（汚泥やスラッジの残渣等）９を炭化手段１０により１００℃以上で炭化することにより、炭化物１２またはガスをして排出する。その生成した炭化物１２は、溶融手段２における溶融炉の燃料として使用することが好ましい。
【実施例１】
【００３２】  本発明の浸出水スラッジ処理システム（図１）を用いて浸出水スラッジ（汚泥やスラッジの残渣等）９を処理した場合（発明例）の残渣量を計測したところ、残渣量の発生は確認できなかった。つまり、汚水又は浸出水スラッジ（汚泥やスラッジの残渣等）９は、すべてが、ガス又は高温液状物１１としてスラグになるので、残渣としては何も残らないためである。
【産業上の利用可能性】
【００３３】  本発明によれば、埋立てられた廃棄物を無害化処理することによって、浸出水の流出による土壌汚染等の環境負荷が低減されるので、環境問題への対応の一環として大きく寄与できる。
【図面の簡単な説明】
【００３４】
【図１】  本発明に従う浸出水スラッジ処理システムの代表的なフローチャートである。
【図２】  本発明に従う浸出水スラッジ処理システムの他のフローチャートである。
【符号の説明】
【００３５】  １  埋立地の汚水又は浸出水処理装置から出る浸出水スラッジ処理システム
２  溶融炉手段（又は溶融炉）
３  ガス燃焼手段（又はガス燃焼炉）
４  ガス冷却手段（又はガス冷却塔）
５  排ガス処理手段（又は集塵装置）
６  通風手段（又は通風機）
７  第１集塵装置
８  第２集塵装置
９  汚水又は浸出水スラッジ（又は汚泥やスラッジの残渣等）
１０  炭化手段（又は炭化炉）
１１  高温液状物
１２  炭化物
【図１】
2006043678.tif 000003
【図２】
2006043678.tif 000004